(57)【特許請求の範囲】
【請求項１】
スイッチ本体と；
スイッチ本体の正面側に揺動可能に支持されたハンドルと；
このハンドルの背面側に設けられたスプリング収納部と；
このスプリング収納部に正面背面方向に伸縮可能に収納されたスプリングと；
このスプリングの背面側の端部に取り付けられる基部、基部から背面側に突設された腕部、及び腕部の先端部に位置するガイド部を設けたスプリング受金と；
正面背面方向を長手方向としてスイッチ本体内に収納され、背面側の端部がスイッチ本体に回動可能に支持されるとともに、長手方向の中間部にガイド部に当接するガイド当接部を設けた可動片と；
少なくとも一部がガイド当接部より正面側に位置して可動片に設けられた可動接点と；
スイッチ本体内に設けられ、可動接点が接離される本体側接点と；
を具備したことを特徴とするスイッチ装置。
【請求項２】
前記スプリング受金は、前記基部の縁部から背面側に突設された一対の腕部を備えた略コの字状をなす
ことを特徴とする請求項１記載のスイッチ装置。
【請求項３】
前記スプリングは、コイルスプリングであり、
前記スプリング受金の前記基部には、コイルスプリングの背面側の端部に嵌合するスプリング嵌合部が設けられた
ことを特徴とする請求項１または２記載のスイッチ装置。
【請求項４】
外側から前記ハンドルを挿入可能に前記スイッチ本体に設けられた開口部と；
ハンドル及びスイッチ本体の一方に設けられた弾性的に変形可能な係合受部と；
ハンドル及びスイッチ本体の他方に設けられ係合受部に係合する係合部と；
を具備したことを特徴とする請求項１ないし３いずれか一記載のスイッチ装置。
【請求項５】
前記スイッチ本体は、正面側にケース開口部を設けたケース体と、ケース開口部を覆うカバーとを備え、
前記開口部は、ケース開口部に連通してカバーに設けられた
ことを特徴とする請求項４記載のスイッチ装置。
【発明の詳細な説明】
【０００１】
【発明の属する技術分野】
本発明は、揺動するハンドルを備えたスイッチ装置に関する。
【０００２】
【従来の技術】
従来、例えば特開２０００−２５１５８０号公報に記載されたスイッチ装置が知られている。このようなスイッチ装置は、スイッチ本体と、このスイッチ本体の正面側に揺動自在に支持されたハンドルとを備えている。そして、スイッチ本体には、配線が電気的及び機械的に接続される接続端子が収納されるとともに、この接続端子には、固定接点が設けられている。さらに、スイッチ本体には、背面側の端部を支点として回動する可動片が配置され、この可動片の回動に伴い、可動片に設けた可動接点が固定接点に接離され、接点が開閉される。また、ハンドルの背面側には、背面を開口したスプリング収納部が設けられ、このスプリング収納部に、コイルスプリングが収納されている。そして、このコイルスプリングの背面側の端部が、直接あるいは背面側の端部に取り付けたはとめ部を介して、可動片の正面側の端部に係合しており、ハンドルを揺動操作することにより、コイルスプリングが全体的に撓みながら可動片の正面側の端部を前後に押動し、操作時には適度な操作感を生成するとともに、操作後は可動片を押圧して位置を保持するようになっている。
【０００３】
【発明が解決しようとする課題】
今日、スイッチ装置の正面に面積の大きいスイッチカバーを取り付け、外観や操作性を向上する構成が知られている。そして、このような構成では、ハンドルの回動角は小さく設定することが求められている。
【０００４】
しかしながら、面積の大きいスイッチカバーを取り付ける構成では、可動片の回動角などが小さくなり、各部の移動量、例えば可動片とコイルスプリングの軸芯との接続部分がなす角度をθとした場合のｓｉｎθが小さくなるため、円滑な動作を確保するためには、各部品の工作精度などを高める必要があり、製造コストが上昇する問題を有している。一方、上記のｓｉｎθを大きくするために、可動片の寸法を大きくする構成が考えられるが、スイッチ装置が大型化する問題を有している。
【０００５】
本発明は、このような点に鑑みなされたもので、大型化や製造コストの上昇を回避しつつ、安定した操作が可能なスイッチ装置を提供することを目的とする。
【０００６】
【課題を解決するための手段】
請求項１記載のスイッチ装置は、スイッチ本体と；スイッチ本体の正面側に揺動可能に支持されたハンドルと；このハンドルの背面側に設けられたスプリング収納部と；このスプリング収納部に正面背面方向に伸縮可能に収納されたスプリングと；このスプリングの背面側の端部に取り付けられる基部、基部から背面側に突設された腕部、及び腕部の先端部に位置するガイド部を設けたスプリング受金と；正面背面方向を長手方向としてスイッチ本体内に収納され、背面側の端部がスイッチ本体に回動可能に支持されるとともに、長手方向の中間部にガイド部に当接するガイド当接部を設けた可動片と；少なくとも一部がガイド当接部より正面側に位置して可動片に設けられた可動接点と；スイッチ本体内に設けられ、可動接点が接離される本体側接点と；を具備したものである。
【０００７】
そして、この構成では、ハンドルを操作することにより、スプリング及びスプリング受金を介して可動片が押動され、接点が接離される。可動片は、長手方向の中間部に設けたガイド当接部が、スプリング受金の腕部の先端部に設けたガイド部に当接して押動されるため、ハンドルの動作を可動片に効率良く確実に伝えることが可能になり、ハンドルの可動角度を小さく設定することが可能になる。
また、可動接点は、少なくとも一部がガイド当接部より正面側に位置して可動片に設けたため、ハンドルの回動角に対して接点の移動量が大きく確保され、接点の開閉が確実になる。
【０００８】
請求項２記載のスイッチ装置は、請求項１記載のスイッチ装置において、前記スプリング受金は、前記基部の縁部から背面側に突設された一対の腕部を備えた略コの字状をなすものである。
【０００９】
そして、この構成では、ハンドルの可動角度が小さく設定された場合にも、ハンドルの動作を可動片に確実に伝え、少なくとも一部がガイド当接部より正面側に位置して可動片に設けられた可動接点を本体側接点に接離させ、接点を確実に開閉する構成が容易に実現される。
【００１０】
請求項３記載のスイッチ装置は、請求項１または２記載のスイッチ装置において、前記スプリングは、コイルスプリングであり、前記スプリング受金の前記基部には、コイルスプリングの背面側の端部に嵌合するスプリング嵌合部が設けられたものである。
【００１１】
そして、この構成では、スプリングの動作がスプリング受金に効率良く伝えられ、ハンドルの動作が可動片に効率良く伝わり、接点の開閉が確実になり安定する。また、部品の仮固定が可能になり、組立作業が容易になる。
【００１２】
請求項４記載のスイッチ装置は、請求項１ないし３いずれか一記載のスイッチ装置において、外側から前記ハンドルを挿入可能に前記スイッチ本体に設けられた開口部と；ハンドル及びスイッチ本体の一方に設けられた弾性的に変形可能な係合受部と；ハンドル及びスイッチ本体の他方に設けられ係合受部に係合する係合部と；を具備したものである。
【００１３】
そして、この構成では、スイッチ本体の開口部に外側からハンドルを挿入することにより、係合部と係合受部とが係合し、ハンドルが揺動可能に支持される。
ハンドルがスイッチ本体に支持されるため、回動角度の規定が容易に正確になる。また、ハンドルをスイッチ本体の開口部の内側から組み付ける構成に比べて、開口部の内側の開口を小さく設定することが可能になり、開口部の内側の部品が開口部の周辺部分で安定して保持される。一方、開口部の外側の開口を大きく設定することが可能になり、ハンドルの操作性が容易に良好になる。
【００１４】
請求項５記載のスイッチ装置は、請求項４記載のスイッチ装置において、前記スイッチ本体は、正面側にケース開口部を設けたケース体と、ケース開口部を覆うカバーとを備え、前記開口部は、ケース開口部に連通してカバーに設けられたものである。
【００１５】
そして、この構成では、カバーの開口部に外側からハンドルを挿入することにより、係合部と係合受部とが係合し、ハンドルがカバーに揺動可能に支持される。ハンドルがカバーに支持されるため、回動角度の規定が容易に正確になる。また、ハンドルをカバーの開口部の内側から組み付ける構成に比べて、開口部の内側の開口を小さく設定することが可能になり、開口部の内側の部品が開口部の周辺部分で安定して保持される。一方、開口部の外側の開口を大きく設定することが可能になり、ハンドルの操作性が容易に良好になる。
【００１６】
【発明の実施の形態】
以下、本発明のスイッチ装置の一実施の形態を図面を参照して説明する。
【００１７】
図１は本発明のスイッチ装置の一実施の形態を示す断面図、図２は同上スイッチ装置の背面図、図３は同上スイッチ装置のハンドル及びカバーを示す分解状態の断面図、図４は同上スイッチ装置の一部を示す側面図、図５は同上スイッチ装置の一部を示す分解斜視図、図６は同上スイッチ装置の一部を拡大した断面図、図７は同上スイッチ装置のスプリング受金を示す平面図である。
【００１８】
図１及び図２において、10はスイッチ装置で、このスイッチ装置10は、いわゆるタンブラスイッチ(接点部反転構造スイッチ)であり、図示しない金属製の枠状のサポートに取り付けられ、このサポートを、造営材としての壁板に開口形成した開口部に、押え金具あるいは配線ボックスなどを用いて取り付け、さらに、室内側を取付プレート及びスイッチカバーで覆って、配線装置である片切スイッチが構成されている。
【００１９】
そして、このスイッチ装置10は、スイッチ本体11と、このスイッチ本体11の正面側としての上側に揺動自在に支持された操作体であるハンドル12とを備えている。なお、以下、正面側を上側(図１に示す矢印Ｘ方向)、背面側を下側、これら正面背面方向に直交するスイッチ本体11の長手方向を前側(図１及び図２に示す矢印Ｙ方向)及び後側、スイッチ本体11の幅方向を一側方向(図２に示す矢印Ｚ方向)及び他側方向として説明する。そして、スイッチ本体11は、上側をケース開口部14aとして開口した白色の合成樹脂製の略箱状のケース体14と、このケース体14の上側を覆う図１及び図３に示す白色の合成樹脂製のカバー15とを備え、これらケース体14とカバー15とがステンレスなどの金属製の前後一対の止金具16をかしめて固定され、内部に金具収納部17が形成されている。
【００２０】
そして、ケース体14の下面には、４個の電線挿入口21と、２個のリリース孔22とが形成されている。そして、電線挿入口21の内側には、それぞれ板ばねを屈曲した鎖状金具24が配置されているとともに、リリース孔22の内側には、それぞれ合成樹脂にて形成されたリリース体（リリースボタン）25が上下に進退可能に配置されている。また、後側に位置する２個の鎖状金具24には、共通端子26が組み合わされて接続され、前側に位置する２個の鎖状金具24には、それぞれ負荷端子である端子としての第１の端子27が接続されている。そこで、後側に位置する電線挿入口21に挿入された電線は、鎖状金具24と共通端子26との間に挟持され鎖状接続されるとともに電気的に接続される。また、前側に位置する電線挿入口21に挿入された電線は、鎖状金具24と第１の端子27との間に挟持され鎖状接続されるとともに電気的に接続される。また、リリース孔22にマイナスドライバなどの治具を挿入してリリース体25を押動し、鎖状金具24を変形させることにより、鎖状接続を解除して接続した電線を取り外しできる。
【００２１】
また、共通端子26は、金具収納部17の下部の略中央部に延設されるとともに、上側に向かって拡開する略Ｖ字状に屈曲されて、可動片軸受部31が形成されている。また、第１の端子27は、可動片軸受部31の上方に延設され、かつ、上方に向かって若干傾斜した第１の固定接点受部27bが形成されている。そして、この第１の固定接点受部27bに、本体側接点としての固定接点33が取り付けられている。
【００２２】
さらに、この固定接点33に対向し、突片である可動片41が配置されている。そして、この可動片41は、図１、図４、及び図５に示すように、導電性を有する金属板からなる平板状の可動片本体42と、この可動片本体42の長手方向の中間部にかしめなどして突出して取り付けられた円板状の可動接点44とを備えている。そして、可動片本体42は、水平な端縁部である下端部に、基端部45が形成されているとともに、長手方向の中間部に、基端部45に向かって幅寸法が大きくなる両側一対のガイド当接部46が形成されている。また、基端部45は、片面あるいは両面のつぶし加工により、中央部分よりも薄く形成されている。さらに、可動接点44は、少なくとも一部がガイド当接部46同士を結ぶ線よりも上側に位置するように配置されている。
【００２３】
そして、この可動片本体42は、可動片軸受部31の谷部に基端部45を当接し、この基端部45を支点として回動可能に支持され、この可動片本体42の回動により、可動接点44が固定接点33に当接してスイッチが閉じられ、第１の端子27と共通端子26とが電気的に接続され、あるいは、可動接点44と固定接点33とが離間して、スイッチが開かれるようになっている。
【００２４】
また、スイッチ本体11のカバー15は、図１及び図３に示すように、下面をケース開口部14aに連通するように開口した略箱状をなし、さらに、上面には、下面の開口よりも前後方向及び幅方向に寸法の小さい開口部49が形成されている。また、この開口部49は、前後方向について、下側すなわち金具収納部17の内側に向かう側よりも、上側すなわち外側に向かう側の方が、階段状などに拡開して、幅寸法が大きく形成され、外側に向かうハンドル規制部49aと、内側に向かう部品押さえ部49bとが形成されている。さらに、開口部49は、長手方向の中央部に位置し、幅方向の両側の縁部について、上側に向かって幅寸法の小さくなる三角状の係合部50が形成されている。
【００２５】
また、ハンドル12は、黒色の合成樹脂にて一体に形成されたハンドル本体51を備え、このハンドル本体51は、中央に位置する軸部52と、この軸部52の前後に位置する一対の操作部53と、これら操作部53と軸部52とを連結する連結部54とを備えている。また操作部53には、それぞれ金属製のハンドル受55が取り付けられている。
【００２６】
そして、軸部52の中央部には、上下方向を軸方向とし、上面を閉じ、下面を開口した円柱状のスプリング収納部56が開口形成されている。そして、このスプリング収納部56は、スプリング本体収納部56aと、このスプリング本体収納部56aの下側に拡径して連結する受金収納部56bとを備えている。また、スプリング本体収納部56aの上端部には、位置決め突部56cが設けられている。
【００２７】
また、軸部52の両側部には、ハンドル支持部である舌片状の爪部58が形成されている。そして、この爪部58は、下端部が軸部52に一体に形成されているとともに、軸部52から若干離間する方向に傾斜した状態で、上側に突設されている。さらに、この爪部58は、上側に向かって前後方向の寸法が小さくなる弾性変形可能な三角板状をなし、先端部すなわち上端部は、係合受部59となっている。そして、これら爪部58の部分の幅寸法は、カバー15の開口部49の幅寸法よりも大きく形成されている。
【００２８】
そこで、このハンドル12は、カバー15の開口部49に上側から圧入すると、両側の爪部58が弾性的に変形しながら、開口部49の縁部を通過し、通過後に爪部58が復帰変形した状態で、係合受部59が係合部50に係合して抜け止めされ、この係合部分を両側方向を軸方向とする回転軸として、ハンドル12がカバー15に揺動可能に支持される。さらに、ハンドル12をカバー15に取り付けた状態で、カバー15のハンドル規制部49aにより、カバー15の揺動範囲すなわち回動する角度が規制されている。
【００２９】
そして、このスプリング収納部56の主としてスプリング本体収納部56aに、スプリングとしてのコイルスプリングＳが収納されている。そして、このコイルスプリングＳは、弾性的に変形可能な金属線を巻回したスプリングで、軸方向に弾性的に伸縮するとともに、軸方向から傾斜する方向にも弾性的に変形可能な弾性体を構成している。そして、このコイルスプリングＳは、接点部の反転機構を構成し、また、接点部の接触力を発生させている。また、スプリング収納部56の内径は、コイルスプリングＳの外径と同等か若干小さく形成され、コイルスプリングＳをスプリング収納部56に挿入することにより、コイルスプリングＳがハンドル12に仮固着されるようになっている。なお、このスプリング収納部56の内部には、コイルスプリングＳを仮固着するためのリブなどを設けることもできる。
【００３０】
さらに、コイルスプリングＳの下端部には、スプリング受金61が装着され、スプリング収納部56の受金収納部56bに一部が収納されガイドされている。このスプリング受金61は、図１、図４ないし図７に示すように、１枚の金属板を折曲などして略コの字状に形成され、略矩形板状の基部62と、この基部62の両側部から折曲された両側一対の腕部63とを備えている。そして、各腕部63は、下側となる先端側に向かって直線状にあるいは角部を介して幅寸法が小さくなり、先端部には、三角状あるいはＵ字状などの溝状の切欠部であるガイド部64が形成されている。なお、図１には、各腕部63が先端側に向かって角部を介して幅寸法が小さくなる構成を示し、図４及び図５には、各腕部63が先端側に向かって直線状に幅寸法が小さくなる構成を示している。そして、これら両側のガイド部64に、可動片41の両側のガイド当接部46が当接あるいは係合して押し下げられ、また、この状態で、両側のガイド部64間に可動接点44が位置するようになっている。さらに、基部62には、上側に向かい、例えばバーリング加工により、上側に円筒状に突出する仮固着用のスプリング嵌合部(スプリングガイド)65が形成されている。そして、このスプリング嵌合部65の外径は、コイルスプリングＳの内径よりも若干大きく、コイルスプリングＳの下端部が嵌合し、保持されるようになっている。
【００３１】
そして、このスイッチ装置10の組み立て工程は、まず、ハンドル12にハンドル受55を取り付け、次いで、このハンドル12をカバー15の開口部49に上側から押し込み、所定範囲で回動可能に軸支する。次いで、このようにハンドル12を取り付けたカバー15を裏返し、コイルスプリングＳをスプリング本体収納部56aに押し込んで仮固着する。さらに、このコイルスプリングＳの先端部に、スプリング嵌合部65を押し込んで嵌合し、スプリング受金61を仮固着する。
【００３２】
一方、ケース体14には、鎖状金具24、リリース体25、共通端子26、負荷端子である第１の端子27を組み込み、さらに、可動片41を組み込む。
【００３３】
この状態で、スプリング受金61のガイド部64を、可動片41のガイド当接部46に当接させつつ、カバー15をケース体14に組合せ、一対の止金具16で固定して、スイッチ装置10の組み立てが完成する。
【００３４】
さらに、このスイッチ装置10を図示しないサポートに取り付け、配線ボックスなどを用いて壁面に取り付け、さらに、室内側を取付プレート及びスイッチカバーで覆って、片切スイッチが構成される。
【００３５】
この状態で、スイッチカバーを介してハンドル12の操作部53を押動し、ハンドル12を揺動させることにより、コイルスプリングＳ及びスプリング受金61を介して可動片41を押動して回動させ、固定接点33に可動接点44を接離させ、回路を開閉するようになっている。
【００３６】
そして、本実施の形態のスイッチ装置10によれば、トグルスイッチの開閉機構部について、ハンドル12と可動片41とをコイルスプリングＳで接続し、このコイルスプリングＳにより、可動片41に接触圧力と可動片41の位置保持のための荷重を発生する構成であって、可動片41とコイルスプリングＳとを接続するスプリング受金61を備え、このスプリング受金61は、略コの字状に成形し、コの字の開口側に可動片41と接続する溝状のガイド部64を設け、可動片41の可動接点44をまたぐ構造としたため、可動片41の長手方向とスプリング受金61すなわちハンドル12の軸方向とのなす角をθとした場合のｓｉｎθを大きく確保でき、可動片41の可動接点44の移動距離を大きく確保できる。また、このスプリング受金61は、少なくとも一部をハンドル12のスプリング収納部56の受金収納部56bに収納する構成としたため、ハンドル12の動作をスプリング受金61に確実に伝え、このスプリング受金61を介して、ハンドル12の動作を可動片41に遊びなく効率良く確実に伝えることができる。
【００３７】
このように、ハンドル12の小さな動きを確実に可動片41に伝えることができるとともに、ハンドル12の小さな動きで可動片41の可動接点44を大きく動かし、いわゆる接点ギャップ及び接点フォローを大きく確保できるため、可動角度の小さい大形のスイッチカバー（いわゆるワイドスイッチ）などでも、確実に動作するスイッチを提供できる。例えば、従来スイッチは９°〜１０°の回転角であったが、４°の回転角で確実に動作させることができる。そして、必要以上に加工精度を高める必要がなく、製造コストを低減できるとともに、可動片41などの大型化の必要もなく、スイッチ装置10の大型化も回避できる。
【００３８】
また、本実施の形態では、スプリング受金61は、コの字の開口の逆側にコイルスプリングＳに接続する接続部であるスプリング嵌合部65を設けたため、コイルスプリングＳとスプリング受金61とを仮固着でき、組み立て作業を容易にできる。さらに、ハンドル12のスプリング収納部56にコイルスプリングＳを嵌め込んで、ハンドル12とコイルスプリングＳとを仮固着でき、組み立て作業を容易にできる。すなわち、カバー15のケース体14への組み込み時には、ハンドル12、コイルスプリングＳ、及びスプリング受金61を仮固着機構により一体化でき、組立作業を容易にして、製造コストを低減できる。
【００３９】
また、このスプリング受金61は、スプリング嵌合部65によりコイルスプリングＳと遊びなく連結され、ガイド部64により可動片41に遊びなく連結されることにより、はとめなどを用いる構成に比べても、力を効率良く安定して伝えることができる。そこで、可動片41の動きに対してハンドル12の反転角を小さく設定でき、ハンドル12の動き(反転角度)に対し、いわゆる接点ギャップや接点フォローを大きく確保することができる。
【００４０】
また、このスプリング受金61は、金属製としたため、樹脂製の部材に比べ、接点の開閉による反転動作を繰り返しても、摩耗しにくく、長期にわたり初期特性を維持し、一定の性能を確保できる。
【００４１】
さらに、本実施の形態では、ハンドル12を弾性変形可能な材料で形成し、バネ性を有する爪部(支点部)58を設け、可動片41などの内部の部品であるスイッチメカなどを押さえるカバー15の露出する側である上面より押し込み、スイッチメカと連結されるとともに、カバー15に設けた段差である係合受部59に係合して抜け止め可能として、ハンドル12をカバー15の上面から装着できるハンドル構造とした。この点、従来のように、カバーの下側からハンドルを組み付ける構成では、組立後はスプリングなどのバネ荷重によりハンドルをカバーに押し付けて安定した組み立て状態が保たれるものの、組立の過程でハンドルを可動片に接合する前においては、ハンドルを支える構成がなく、ハンドルがカバーから分解しやすい傾向を有していた。また、カバーに対してハンドルを下方から挿入するために、ハンドルの投影面の最大長さ以上のカバー下面の開口面積が必要になり、スイッチ内部への異物の混入や、スイッチ内部の部品の固定に対する制約が生じている。これに対して本実施の形態によれば、ハンドル12の動作範囲を、カバー15とハンドル12のみで規制できるため、スイッチメカのばらつきによるハンドル12の回動角度のずれを抑制できるとともに、仮組み立てが可能であり、組立工程を簡略化して、製造コストを低減できる。また、カバー15の開口部49は、ハンドル12が挿入される上面側のみ大きくすればよく、下面側の開口は小さく設定できる。そこで、このカバー15の開口部49の下面側に大きく部品押さえ部49bを設定でき、端子などの部品をカバー15で安定して固定できる。また、部品を押さえる別部材も不要になり、製造コストの低減が可能になる。さらに、開口部49からの異物の混入も抑制できる。また、ハンドル12の支点となる係合受部59は、ハンドル本体51と一体に舌片状に形成した爪部58に設け、この爪部58の弾性を利用して係合することにより、構造を簡略化し、製造コストを低減できる。さらに、ケース体14やカバー15より大きいハンドル12を備え、操作性を向上することも可能になる。
また、開口部49の下部の開口寸法を、ハンドル12の投影面積よりも小さく形成しておくことにより、ハンドル12をカバー15に押し込む際には、ハンドル12の下側に向かう挿入位置を規制でき、ハンドル12に対する下側のスイッチ機構からの荷重を抑制しつつ回転自在に支持でき、ハンドル12の動作を円滑にできるとともに、機械的強度を向上できる。
【００４２】
なお、ハンドル12の支点となる係合受部59は、ハンドル本体51とは別体の部品で構成し、取り付けることもできる。
【００４３】
また、本発明のスイッチ装置は、スイッチボックスなどに取り付けて使用する埋込スイッチの他、壁や造営材などに直接に木ねじなどを用いて取り付ける露出スイッチに適用することもできる。
【００４４】
また、本発明のスイッチ装置は、導通の入り切りをおこなう片切スイッチの他、可動接点を挟んで相対向する一対の固定端子を備え、導通の切り替えを行う３路スイッチに適用することもできる。
【００４５】
【発明の効果】
請求項１記載のスイッチ装置によれば、ハンドルを操作することにより、スプリング及びスプリング受金を介して可動片を押動し、接点を接離できる。可動片は、長手方向の中間部に設けたガイド当接部が、スプリング受金の腕部の先端部に設けたガイド部に当接して押動されるため、ハンドルの動作を可動片に効率良く確実に伝えることができ、ハンドルの可動角度を小さく設定できる。また、可動接点は、少なくとも一部がガイド当接部より正面側に位置して可動片に設けたため、ハンドルの回動角に対して接点の移動量を大きく確保でき、接点の開閉を確実にできる。
【００４６】
請求項２記載のスイッチ装置によれば、請求項１記載の効果に加え、スプリング受金は、基部の縁部から背面側に突設された一対の腕部を備えた略コの字状をなすため、ハンドルの可動角度が小さく設定された場合にも、ハンドルの動作を可動片に確実に伝え、少なくとも一部がガイド当接部より正面側に位置して可動片に設けられた可動接点を本体側接点に接離させ、接点を確実に開閉する構成を容易に実現できる。
【００４７】
請求項３記載のスイッチ装置によれば、請求項１または２記載の効果に加え、スプリングは、コイルスプリングであり、スプリング受金の基部には、コイルスプリングの背面側の端部に嵌合するスプリング嵌合部が設けられたため、スプリングの動作をスプリング受金に効率良く伝え、ハンドルの動作を可動片に効率良く伝えて、接点の開閉を確実に安定させることができる。また、部品を仮固定でき、組立作業を容易にできる。
【００４８】
請求項４記載のスイッチ装置によれば、請求項１ないし３いずれか一記載の効果に加え、スイッチ本体の開口部に外側からハンドルを挿入することにより、係合部と係合受部とが係合し、ハンドルを揺動可能に支持できる。ハンドルがスイッチ本体に支持されるため、回動角度の規定を容易に正確にできる。また、ハンドルをスイッチ本体の開口部の内側から組み付ける構成に比べて、開口部の内側の開口を小さく設定でき、開口部の内側の部品を開口部の周辺部分で安定して保持できる。一方、開口部の外側の開口を大きく設定でき、ハンドルの操作性を容易に良好にできる。
【００４９】
請求項５記載のスイッチ装置によれば、請求項４記載の効果に加え、カバーの開口部に外側からハンドルを挿入することにより、係合部と係合受部とが係合し、ハンドルをカバーに揺動可能に支持できる。ハンドルがカバーに支持されるため、回動角度の規定を容易に正確にできる。また、ハンドルをカバーの開口部の内側から組み付ける構成に比べて、開口部の内側の開口を小さく設定でき、開口部の内側の部品を開口部の周辺部分で安定して保持できる。一方、開口部の外側の開口を大きく設定でき、ハンドルの操作性を容易に良好にできる。
【図面の簡単な説明】
【図１】本発明のスイッチ装置の一実施の形態を示す断面図である。
【図２】同上スイッチ装置の背面図である。
【図３】同上スイッチ装置のハンドル及びカバーを示す分解状態の断面図である。
【図４】同上スイッチ装置の一部を示す側面図である。
【図５】同上スイッチ装置の一部を示す分解斜視図である。
【図６】同上スイッチ装置の一部を拡大した断面図である。
【図７】同上スイッチ装置のスプリング受金を示す平面図である。
【符号の説明】
10    スイッチ装置
11    スイッチ本体
12    ハンドル
14    ケース体
14a   ケース開口部
15    カバー
33    本体側接点としての固定接点
41    可動片
44    可動接点
46    ガイド当接部
49    開口部
50    係合部
56    スプリング収納部
59    係合受部
61    スプリング受金
62    基部
63    腕部
64    ガイド部
65    スプリング嵌合部
Ｓ    スプリングとしてのコイルスプリング
【図１】
0004553088.tif 000002
【図２】
0004553088.tif 000003
【図３】
0004553088.tif 000004
【図４】
0004553088.tif 000005
【図５】
0004553088.tif 000006
【図６】
0004553088.tif 000007
【図７】
0004553088.tif 000008